(57)【要約】  洗濯機の上蓋であって、表示パネル（６）を含み、前記表示パネル（６）の上方には、下から順に、白色コーティング層（４）、銀色コーティング層（３）及び半透明コーティング層（１）が設けられており、銀色コーティング層（３）には、表示パネル（６）の表示箇所に対応して透かし彫り様に設置される表示窓（７）が設けられている。表示パネル（６）から発せられた光は、平面光の均質効果が向上するよう、白色コーティング層（４）を通過しつつ白色コーティング層（４）によって散乱してから、銀色コーティング層（３）上の表示窓（７）を通じて銀色コーティング層を通過し、利用される。表示窓（７）以外の部分に照射された光は銀色コーティング層（３）を貫通できず、銀色コーティング層（３）により反射されて白色コーティング層（４）に戻る。これにより、白色コーティング層上の光強度が増すため、表示窓における表示の鮮明度が向上する。半透明コーティング層（１）は、洗濯機が非通電状態の際に鏡面効果を有する。コーティング層を設けることで洗濯プログラムの表示を隠す機能が備わるため、洗濯機の見た目が良好になるとともに、ユーザを妨害するとの事態が回避されるため、ユーザエクスペリエンスが高まる。【選択図】図１
2020511249.tif 000002
【特許請求の範囲】
【請求項１】
表示パネル（６）を含む洗濯機の上蓋であって、
前記表示パネル（６）の上方には、下から順に、白色コーティング層（４）、銀色コーティング層（３）及び半透明コーティング層（１）が設けられており、前記銀色コーティング層（３）には、前記表示パネル（６）の表示箇所に対応して透かし彫り様に設置される表示窓（７）が設けられていることを特徴とする上蓋。
【請求項２】
前記表示パネル（６）の上方には上蓋ガラス（５）が設けられ、前記白色コーティング層（４）、前記銀色コーティング層（３）及び前記半透明コーティング層（１）が前記上蓋ガラス（５）に塗布されており、
好ましくは、前記白色コーティング層（４）、前記銀色コーティング層（３）及び前記半透明コーティング層（１）は、いずれも前記上蓋ガラス（５）の下面に塗布され、
より好ましくは、前記半透明コーティング層（１）の色が半透明のグレーであることを特徴とする請求項１に記載の洗濯機の上蓋。
【請求項３】
前記銀色コーティング層（３）と前記半透明コーティング層（１）との間には、更に黒色コーティング層（２）が設けられており、前記黒色コーティング層（２）にも、前記表示パネル（６）の表示部分に対応して透かし彫り様に設置される表示窓（７）が設けられていることを特徴とする請求項１又は２に記載の洗濯機の上蓋。
【請求項４】
前記上蓋ガラス（５）と前記表示パネル（６）との間には、前記上蓋ガラス（５）を組み付けるための第１上蓋フレーム（８）が設けられており、前記第１上蓋フレーム（８）には前記表示パネル（６）を露出させる開口（１０）が設けられており、
前記表示パネル（６）の下方には前記表示パネル（６）を組み付けるための第２上蓋フレーム（９）が設けられており、前記第２上蓋フレーム（９）と前記第１上蓋フレーム（８）とが固定接続されることを特徴とする請求項２に記載の洗濯機の上蓋。
【請求項５】
前記第２上蓋フレーム（９）には、少なくとも一対の垂直下方に延伸する位置決め部材（１３）が対向して設けられており、対向して設けられる２つの前記位置決め部材（１３）の間に前記表示パネル（６）が挟持及び固定されることを特徴とする請求項４に記載の洗濯機の上蓋。
【請求項６】
前記開口（１０）の外周には、前記位置決め部材（１３）に対応する接続部材（１４）が設けられており、前記接続部材（１４）と前記位置決め部材（１３）とが固定接続されることを特徴とする請求項５に記載の洗濯機の上蓋。
【請求項７】
前記位置決め部材（１３）には、上方に向かって設置される挿入口（１６）が設けられており、前記接続部材（１４）を前記挿入口（１６）の内部に挿入することで、前記位置決め部材（１３）と前記接続部材（１４）との挿接及び接続が実現されることを特徴とする請求項６に記載の洗濯機の上蓋。
【請求項８】
前記第２上蓋フレーム（９）には、上方へ延伸するスタッドボルト（１５）が設けられており、前記スタッドボルト（１５）が前記第１上蓋フレーム（８）を支持し、当接することで、前記表示パネル（６）の取り付け空間が形成されることを特徴とする請求項４に記載の洗濯機の上蓋。
【請求項９】
前記表示パネル（６）は、前記開口（１０）を貫通して前記上蓋ガラス（５）に密着し、前記上蓋ガラス（５）と前記表示パネル（６）との間には、タッチ操作が実現されるよう、前記表示パネル（６）に接続されるタッチフィルム（１１）が設けられていることを特徴とする請求項４に記載の洗濯機の上蓋。
【請求項１０】
前記表示パネル（６）の下方には制御回路基板（１２）が設けられており、前記制御回路基板（１２）は前記表示パネル（６）の輝度を制御し、
好ましくは、前記制御回路基板（１２）は、電流の大きさを制御することで前記表示パネル（６）の輝度を制御することを特徴とする請求項１〜９のいずれかに記載の洗濯機の上蓋。
【発明の詳細な説明】
【技術分野】
【０００１】
本発明は洗濯機の分野に関し、特に、洗濯機の上蓋に関する。
【背景技術】
【０００２】
従来の洗濯機では、一般的に洗濯プログラムの名称が前面の操作盤やパネルに直接印刷されている。そのため、常に文字が表示されており、通電状態と非通電状態で効果がほぼ同様なことから、洗濯機の見た目に影響していた。また、洗濯機の操作過程ではっきりとした注意喚起ができないため、ユーザの使用を妨害していた。
【０００３】
上記の課題に対し、従来の解決策では、洗濯機が非通電状態の場合にはプログラム名を表示せず、洗濯機が通電状態の場合にはユーザの操作に対応するプログラム名のみを表示している。これによれば、洗濯機の見た目が向上し、ユーザの使用を妨害することがないため、ユーザエクスペリエンスが向上する。
【０００４】
上記に鑑みて、本発明を提案する。
【発明の概要】
【発明が解決しようとする課題】
【０００５】
本発明は、洗濯機の見た目を良好にし、ユーザエクスペリエンスの向上を実現する洗濯機の上蓋を提供することを目的とする。
【課題を解決するための手段】
【０００６】
上記の目的を実現するために、本発明では以下の技術方案を用いる。
【０００７】
洗濯機の上蓋であって、表示パネルを含み、前記表示パネルの上方には、下から順に、白色コーティング層、銀色コーティング層及び半透明コーティング層が設けられており、銀色コーティング層には、表示パネルの表示箇所に対応して透かし彫り様に設置される表示窓が設けられている。
【０００８】
更に、前記表示パネルの上方には上蓋ガラスが設けられ、白色コーティング層、銀色コーティング層及び半透明コーティング層が上蓋ガラスに塗布されている。好ましくは、白色コーティング層、銀色コーティング層及び半透明コーティング層は、いずれも上蓋ガラスの下面に塗布される。より好ましくは、半透明コーティング層の色は半透明のグレーである。
【０００９】
更に、前記銀色コーティング層と半透明コーティング層の間には、更に黒色コーティング層が設けられており、黒色コーティング層にも、表示パネルの表示部分に対応して透かし彫り様に設置される表示窓が設けられている。
【００１０】
更に、前記上蓋ガラスと表示パネルの間には、上蓋ガラスを組み付けるための第１上蓋フレームが設けられており、第１上蓋フレームには表示パネルを露出させる開口が設けられており、表示パネルの下方には表示パネルを組み付けるための第２上蓋フレームが設けられており、第２上蓋フレームと第１上蓋フレームが固定接続される。
【００１１】
更に、前記第２上蓋フレームには、少なくとも一対の垂直下方に延伸する位置決め部材が対向して設けられており、対向して設けられる２つの位置決め部材の間に表示パネルが挟持及び固定される。
【００１２】
更に、前記開口の外周には位置決め部材に対応する接続部材が設けられており、接続部材と位置決め部材が固定接続される。
【００１３】
更に、前記位置決め部材には、上方に向かって設置される挿入口が設けられており、接続部材を挿入口の内部に挿入することで、位置決め部材と接続部材の挿接及び接続が実現される。
【００１４】
更に、前記第２上蓋フレームには、上方へ延伸するスタッドボルトが設けられており、スタッドボルトが第１上蓋フレームを支持し、当接することで、表示パネルの取り付け空間が形成される。
【００１５】
更に、前記表示パネルは、開口を貫通して上蓋ガラスに密着し、上蓋ガラスと表示パネルの間には、タッチ操作が実現されるよう、表示パネルに接続されるタッチフィルムが設けられている。
【００１６】
更に、前記表示パネルの下方には制御回路基板が設けられており、制御回路基板は表示パネルの輝度を制御し、好ましくは、制御回路基板は、電流の大きさを制御することで表示パネルの輝度を制御する。
【発明の効果】
【００１７】
従来技術と比較して、本発明は以下の有益な効果を有する。
【００１８】
１．本発明では、コーティング層を設けることで洗濯プログラムの表示を隠す機能を備えている。即ち、洗濯機が非通電状態の場合にはプログラム名を表示せず、洗濯機が通電状態の場合にはユーザの操作に対応するプログラム名のみを表示する。これにより、洗濯機の見た目が良好となり、ユーザに対する妨害が回避されるため、ユーザエクスペリエンスが向上する。
【００１９】
２．本発明において、表示パネルから発せられた光は、平面光の均質効果が向上するよう、白色コーティング層を通過しつつ白色コーティング層によって散乱してから、銀色コーティング層を通過し、銀色コーティング層上の表示窓を通して利用される。表示窓以外の部分に照射された光は銀色コーティング層を通過できず、銀色コーティング層により反射されて白色コーティング層に戻る。これにより、白色コーティング層上の光強度が増すため、表示窓における表示の鮮明度が向上する。また、銀色コーティング層を通過した光は、黒色コーティング層上の表示窓を通じて黒色コーティング層を通過し、利用される。一方、表示窓以外の部分に照射された光は黒色コーティング層に吸収されるため、表示窓における表示の明瞭度が更に向上する。半透明コーティング層は、洗濯機が非通電状態の際には鏡面効果を有するため、更に洗濯機の見た目が良好となる。
【００２０】
３．本発明では、コーティング層を上蓋ガラスに塗布することで製造工程を簡略化し、製造コストを低下させている。
【００２１】
図面は、本発明の一部として本発明の更なる理解のために提供される。本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなく、これらの図面から更にその他の図面を得ることも可能である。
【図面の簡単な説明】
【００２２】
【図１】図１は、本発明で提供する上蓋ガラスの構造図を示す。
【図２】図２は、本発明で提供する洗濯機の上蓋の構造図を示す。
【図３】図３は、本発明で提供する洗濯機の上蓋の構造図を示す。
【図４】図４は、本発明で提供する表示パネルの構造図を示す。
【図５】図５は、本発明で提供する洗濯機の上蓋の構造図を示す。
【発明を実施するための形態】
【００２３】
これらの図面及び文字記載は、何らかの方式で本発明の構想の範囲を制限するとの意図ではなく、特定の実施例を参照して当業者に本発明の概念を説明するためのものである。
【００２４】
本発明における実施例の目的、技術方案及び利点をより明確にするために、以下に、実施例の技術方案につき明瞭簡潔に述べる。なお、以下の実施例は本発明を説明するためのものであって、本発明の範囲を制限するものではない。
【００２５】
図１〜５に示すように、本発明の実施例では、表示パネル６を含む洗濯機の上蓋について説明する。前記表示パネル６の上方には、下から順に、白色コーティング層４、銀色コーティング層３及び半透明コーティング層１が設けられている。銀色コーティング層３には、表示パネル６の表示箇所に対応して透かし彫り様に設置される表示窓７が設けられている。
【００２６】
本発明では、コーティング層を設けることで、洗濯プログラムの表示を隠す機能を備えている。即ち、洗濯機が非通電状態の場合にはプログラム名を表示せず、洗濯機が通電状態の場合にはユーザの操作に対応するプログラム名のみを表示する。これにより、洗濯機の見た目が良好になり、ユーザに対する妨害が回避されるため、ユーザエクスペリエンスが向上する。
【００２７】
本発明において、前記白色コーティング層４は光散乱効果を有し、銀色コーティング層３は光反射効果を有するため、表示窓７における表示がより鮮明となる。前記半透明コーティング層１は、洗濯機が非通電状態の際には鏡面効果を有するため、更に洗濯機の見た目が良好となる。
【００２８】
表示パネル６から発せられた光は、平面光の均質効果が向上するよう、白色コーティング層４を通過しつつ白色コーティング層４によって散乱してから、銀色コーティング層３上の表示窓７を通じて銀色コーティング層３を通過し、利用される。表示窓７以外の部分に照射された光は銀色コーティング層３を通過できず、銀色コーティング層３により反射されて白色コーティング層４に戻る。これにより、白色コーティング層４上の光強度が増すため、表示窓７における表示の鮮明度が向上する。
【００２９】
銀色コーティング層３が白色コーティング層４の下方に設けられる場合には、表示パネル６から発せられた光はわずかな部分のみが銀色コーティング層３上の表示窓７を通じて銀色コーティング層３を通過し、利用される。一方で、表示窓７以外の部分に照射される大部分の光は銀色コーティング層３を通過できず、銀色コーティング層３により表示パネル６へと反射されるため、表示パネル６から発せられる光の利用効率が低下する結果、表示窓７における表示の鮮明度に支障をきたす。また、銀色コーティング層３を通過した光の一部は白色コーティング層４を通過しつつ、白色コーティング層４により広い範囲に散乱するため、表示窓７における表示の鮮明度に支障をきたす。且つ、一部の光は白色コーティング層４を通過することなく、白色コーティング層４により表示窓７以外の部分の銀色コーティング層３に散乱してから、銀色コーティング層３により反射されて白色コーティング層４を通過するため、表示窓７における表示の鮮明度に更に支障をきたす。
【００３０】
前記半透明コーティング層の色は、半透明のグレーである。
【実施例１】
【００３１】
本実施例において、前記表示パネル６の上方には上蓋ガラス５が設けられ、白色コーティング層４、銀色コーティング層３及び半透明コーティング層１が上蓋ガラス５に塗布されている。
【００３２】
好ましくは、白色コーティング層４、銀色コーティング層３及び半透明コーティング層１は、いずれも上蓋ガラス５の下面に塗布される。
【００３３】
本発明では、コーティング層を上蓋ガラス５に塗布することで製造工程を簡略化し、製造コストを低下させている。
【００３４】
前記上蓋ガラス５は有機ガラスである。
【００３５】
前記有機ガラスは、良好な透明性、化学安定性、力学性能及び耐候性を有しており、染色や加工が容易であるとともに、見た目にも優れるため、本発明で記載する技術方案に適用する。
【００３６】
更に、白色コーティング層４、銀色コーティング層３及び半透明コーティング層１は、いずれも上蓋ガラス５の上面に塗布してもよい。
【００３７】
コーティング層を保護するために、前記半透明コーティング層１の上方には透明シートが設けられている。
【００３８】
好ましくは、前記透明シートは、射出成形によって上蓋ガラス５と一体的に構成される。
【実施例２】
【００３９】
本実施例において、前記銀色コーティング層３と半透明コーティング層１の間には、更に黒色コーティング層２が設けられている。黒色コーティング層２にも、表示パネル６の表示部分に対応して透かし彫り様に設置される表示窓７が設けられている。
【００４０】
上記のように設置される黒色コーティング層２は吸光効果を有するため、表示窓７における表示の鮮明度を更に強化可能である。
【００４１】
銀色コーティング層３を通過した光は、黒色コーティング層２上の表示窓７を通じて黒色コーティング層２を通過し、利用される。一方、表示窓７以外の部分に照射された光は黒色コーティング層２に吸収されるため、表示窓７における表示の鮮明度が向上する。
【００４２】
黒色コーティング層２が白色コーティング層４の下方に設けられる場合には、表示パネル６から発せられた光はわずかな部分のみが黒色コーティング層２上の表示窓７を通じて黒色コーティング層２を通過し、利用される。一方で、表示窓７以外の部分に照射される大部分の光は黒色コーティング層２を通過できず、黒色コーティング層２に吸収されるため、表示パネル６から発せられる光の利用効率が低下する結果、表示窓７における表示の鮮明度に支障をきたす。また、黒色コーティング層２を通過した一部の光は、白色コーティング層４を通過しつつ白色コーティング層４により散乱するため、平面光の均質効果が向上する。且つ、一部の光は白色コーティング層４を通過することなく、白色コーティング層４により表示窓７以外の部分の黒色コーティング層２に散乱してから、黒色コーティング層２により吸収されるため、表示窓７における表示の鮮明度に更に支障をきたす。
【００４３】
黒色コーティング層２が白色コーティング層４と銀色コーティング層３の間に設けられる場合には、白色コーティング層４を通過しつつ白色コーティング層４により散乱した光は、わずか一部のみが黒色コーティング層２上の表示窓７を通じて黒色コーティング層２を通過し、利用される。一方で、表示窓７以外の部分に照射される大部分の光は黒色コーティング層２を通過できず、黒色コーティング層２に吸収されるため、表示パネル６から発せられる光の利用効率が低下する結果、表示窓７における表示が良好な鮮明度を達成できない。黒色コーティング層２を通過した光は、銀色コーティング層３上の表示窓７を通じて銀色コーティング層３を通過し、利用される。一方、表示窓７以外の部分に照射された光は銀色コーティング層３に反射されて黒色コーティング層２に戻り、黒色コーティング２に吸収されるため、表示窓７における表示の明瞭度に更に支障をきたす。
【００４４】
黒色コーティング層２が半透明コーティング層１の上方に設けられる場合には、洗濯機が非通電状態の際に鏡面効果を有さないため、洗濯機の見た目に影響する。
【実施例３】
【００４５】
本実施例では、前記上蓋ガラス５と表示パネル６の間に、上蓋ガラス５を組み付けるための第１上蓋フレーム８が設けられている。第１上蓋フレーム８には、表示パネル６を露出させる開口１０が設けられている。表示パネル６の下方には表示パネル６を組み付けるための第２上蓋フレーム９が設けられており、第２上蓋フレーム９と第１上蓋フレーム８が固定接続される。
【００４６】
上記のように設けることで、材質の異なる上蓋ガラス５と表示パネル６の固定接続を実現する。
【００４７】
前記第２上蓋フレーム９には、少なくとも一対の垂直下方に延伸する位置決め部材１３が対向して設けられ、対向して設けられる２つの位置決め部材１３の間に表示パネル６が挟持及び固定される。
【００４８】
上記のように設けることで、表示パネル６の仮固定が実現されるため、組立作業員による組み付け作業が容易となる。
【００４９】
前記開口１０の外周には、位置決め部材１３に対応する接続部材１４が設けられており、接続部材１４と位置決め部材１３が固定接続される。
【００５０】
上記のように設けることで、表示パネル６のぐらつきが回避されるため、表示パネル６の取り付けの安定性が強化される。
【００５１】
前記位置決め部材１３には、上方に向かって設置される挿入口１６が設けられており、接続部材１４を挿入口１６の内部に挿入することで、位置決め部材１３と接続部材１４の挿接及び接続を実現する。
【００５２】
上記の接続方式はより簡単且つ迅速であるため、組立作業員による組み付け効率が向上する。
【００５３】
更に、前記位置決め部材１３は、水平に設けられるネジにより表示パネル６に固定接続してもよい。
【００５４】
ネジにより第１上蓋フレーム８と第２上蓋フレーム９の接続が実現されるよう、前記第１上蓋フレーム８にはネジ孔が設けられ、第２上蓋フレーム９には対応するスタッドボルト１５が設けられる。スタッドボルト１５が第１上蓋フレーム８を支持し、当接することで、表示パネル６の取り付け空間が形成される。
【００５５】
前記スタッドボルトの外壁には少なくとも１本の径方向に突出する補強リブが設けられており、補強リブが第２上蓋フレーム９に固定接続される。好ましくは、前記補強リブは垂直に設けられる。
【００５６】
前記第１上蓋フレーム８の外周には、下方に延伸する第１密封部が設けられており、第２上蓋フレーム９の外周には、上方に延伸する第２密封部が設けられている。第１密封部の端部の内側には、下方に向けて第２密封部の端部の内側まで延伸する係接部材が設けられている。これにより、第１上蓋フレーム８と第２上蓋フレーム９が係接及び接続されるとともに、第１密封部と第２密封部の端部が密封接続される。
【００５７】
上記のように設けることで、第１上蓋フレーム８と第２上蓋フレーム９の仮固定が実現されるため、組立作業員による組み付け作業が容易となる。
【００５８】
更に、前記位置決め部材１３の上端が、第１上蓋フレーム８を支持し、当接してもよい。
【００５９】
前記第１上蓋フレーム８の外周には、上方へ延伸する接続部が設けられており、上蓋ガラス５の外周が接続部に係合して密封接続される。
【実施例４】
【００６０】
本実施例において、前記表示パネル６は、開口１０を貫通して上蓋ガラス５に密着する。上蓋ガラス５と表示パネル６の間には、タッチ操作が実現されるよう、表示パネル６に接続されるタッチフィルム１１が設けられている。
【００６１】
前記タッチフィルム１１は、表示パネル６に貼付される。
【００６２】
更に、半透明コーティング層１の上方に設けられる透明シートと半透明コーティング層１の間には透明の制御回路が設けられており、制御回路と表示パネル６が接続される。
【００６３】
好ましくは、前記制御回路は透明シートに印刷される。
【００６４】
上記のように設けることで、タッチコントロールの感度が向上するため、ユーザは超薄のシートを介して手でタッチ操作を完了可能であり、ユーザエクスペリエンスがいっそう良好となる。また、洗濯機の見た目も更に良好となる。
【実施例５】
【００６５】
本実施例では、前記表示パネル６の下方に制御回路基板１２が設けられている。制御回路基板１２は表示パネル６の輝度を制御する。
【００６６】
好ましくは、制御回路基板１２は、電流の大きさを制御することで表示パネル６の輝度を制御する。
【００６７】
より好ましくは、前記制御回路基板１２は表示パネル６と第２上蓋フレーム９の間に設けられる。
【００６８】
具体的に、制御回路基板１２は、表示窓７の輝度を半灯と全灯の間で切り替えるよう、表示パネル６の輝度を制御することで表示窓７の輝度を制御する。
【００６９】
前記制御回路基板１２には、電流制御モジュールが設けられている。電流制御モジュールの出力端は表示パネル６の輝度制御モジュールに接続される。外部の輝度に基づいて表示パネル６の輝度を制御するよう、電流制御モジュールの入力端は輝度検出器に接続される。
【００７０】
具体的には、外部の輝度が設定値よりも大きい場合、電流制御モジュールは電流強度を低下させることで表示パネル６の表示輝度を低下させ、表示窓の輝度を下げる。また、外部の輝度が設定値よりも小さい場合、電流制御モジュールは電流強度を上げることで表示パネル６の表示輝度を向上させ、表示窓の輝度を上げる。
【００７１】
上記のように設けることで、表示の鮮明度を保証しつつ、表示が明るすぎて目を刺激するとの事態を回避する。且つ、電力量が節約されるため、省エネになるとの効果もある。
【００７２】
前記輝度検出器は、感度及び精度が向上するよう、上蓋ガラス５の表示箇所近傍に設けられる。また、洗濯機の見た目が良好となるよう、輝度検出器を洗濯機の上蓋の内部に嵌入させるとともに、輝度検出器のプローブを洗濯機の上蓋の表面に設ける。
【００７３】
前記表示パネル６と制御回路基板１２は、取り付けやすいよう一体構造とする。
【００７４】
前記タッチフィルム１１は、制御回路基板１２を介して表示パネル６に接続される。
【００７５】
同様に、透明シートに印刷される制御回路は、制御回路基板１２を介して表示パネル６に接続される。前記制御回路は、上蓋ガラス５から導出される接続回路を介して制御回路基板１２に接続される。具体的に、接続回路は上蓋ガラス５に設けられるリード孔を通じて上蓋ガラス５から導出され、信号を伝送するための接触チップを構成する。制御回路基板１２には、表示パネル６に接続されて信号を受信する挿入溝が設けられており、前記接触チップが挿入溝に挿入される。
【００７６】
好ましくは、前記接触チップと挿入溝の間には抜け落ち防止構造が設けられている。具体的に、前記接触チップの端部のプラグには外側に突出する弾性片が設けられており、挿入溝には弾性片と係接する凹溝が設けられている。プラグを挿入溝に挿入することで、弾性片と凹溝が互いに位置規制されて係接し、抜け落ち防止構造を構成する。
【００７７】
以上は本発明の好ましい実施例にすぎず、本発明を何らかの形式に限定するものではない。本発明については好ましい実施例によって上記のように開示したが、本発明を限定するとの主旨ではなく、本発明の技術方案を逸脱しない範囲において、当業者が上記で提示した技術内容を用いて行うわずかな変形或いは補足は、同等に変形された等価の実施例とみなされる。本発明の技術方案の内容を逸脱することなく、本発明の技術的本質に基づいて上記の実施例に加えられる簡単な修正、同等の変形及び補足は、いずれも本発明の方案の範囲内とされる。
【符号の説明】
【００７８】
１  半透明コーティング層
２  黒色コーティング層
３  銀色コーティング層
４  白色コーティング層
５  上蓋ガラス
６  表示パネル
７  表示窓
８  第１上蓋フレーム
９  第２上蓋フレーム
１０  開口
１１  タッチフィルム
１２  制御回路基板
１３  位置決め部材
１４  接続部材
１５  スタッドボルト
１６  挿入口
【図１】
2020511249.tif 000003
【図２】
2020511249.tif 000004
【図３】
2020511249.tif 000005
【図４】
2020511249.tif 000006
【図５】
2020511249.tif 000007
【国際調査報告】
2020511249.tif 000008
2020511249.tif 000009
2020511249.tif 000010
2020511249.tif 000011